【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
ゴルフバッグであって、
頂端と底端とを有する略筒状のボディと、
そのボディに取り付けられている自動伸張スタンドとを備えており、
前記自動伸張スタンドは、第１足部材と第２足部材とを有しており、
前記第１足部材及び前記第２足部材はそれぞれ、上側部分と、中間部分と、下側部分とを有しており、
前記第１足部材及び前記第２足部材の前記上側部分はそれぞれ、前記頂端近傍のボディに枢設している上端を有するとともに、第１長手方向軸を含んでおり、
前記第１足部材及び前記第２足部材の前記下側部分はそれぞれ、第２長手方向軸を含んでおり、その第２長手方向軸は前記第１長手方向軸に平行であり、且つ前記第１長手方向軸に対して半径方向外側にオフセットされており、
前記中間部分は、前記上側部分と下側部分を堅固に結合しており、
前記第１足部材は、第１回転軸と第１回転面とを定義付ける第１枢動機構によって前記ボディに枢設しており、
前記第２足部材は、第２回転軸と第２回転面とを定義付ける第２枢動機構によって前記ボディに枢設しており、
前記第１回転軸と前記第２回転軸は、非平行であり、
前記自動伸張スタンドはさらに、前記第１足部材及び前記第２足部材を退避位置から展開位置に移動させるアクチュエータロッドを有しており、
前記アクチュエータロッドは、前記ボディの底端に結合している下端と、前記第１足部材の中間部位に結合している第１上端と、前記第２足部材の中間部位に結合している第２上端とを有しており、
前記アクチュエータロッドは、前記ボディが垂直位置から傾斜位置に移動すると、前記第１足部材及び第２足部材を退避位置から展開位置に移動させるゴルフバッグ。
【請求項２】
前記第１足部材の上側部分は、前記第２足部材の上側部分から隔てられている請求項１に記載のゴルフバッグ。
【請求項３】
前記第１足部材の上側部分と第２足部材の上側部分は、退避位置において略平行であり、展開位置において非平行である請求項１又は２に記載のゴルフバッグ。
【請求項４】
前記ボディは、前記ボディの一方の側面に沿って前記頂端から前記底端にまで伸びている略剛体のスパインを有するとともに、柔軟で繊維で形成されたスリーブを有しており、
前記ボディはさらに、前記略剛体のスパインとは反対側に部分的に折り畳み可能な側面を有している請求項１〜３のいずれか一項に記載のゴルフバッグ。
【請求項５】
前記ボディは、前記ボディの前記頂端に設けられているリング状部材を有するスロートを備えており、
前記第１回転軸と前記第２回転軸は、そのスロートに対して接するように設けられている請求項１〜４のいずれか一項に記載のゴルフバッグ。
【請求項６】
前記スロートは、複数のゴルフクラブを所定のグループに分離する複数の分離部を有する請求項５に記載のゴルフバッグ。
【請求項７】
前記アクチュエーターロッドは、Ｕ字状のロッド部材を有する請求項１〜６のいずれか一項に記載のゴルフバッグ。
【請求項８】
ゴルフバッグであって、
頂端と底端とを有する略筒状のボディと、
そのボディに取り付けられている自動伸張スタンドとを備えており、
前記ボディは、前記ボディの一方の側面に沿って前記頂端から前記底端にまで伸びている略剛体のスパインを有するとともに柔軟で繊維で形成されたスリーブと、前記略剛体のスパインとは反対側に部分的に折り畳み可能な側面と、を有しており、
前記自動伸張スタンドは、前記ボディの頂端近傍に枢設している第１足部材及び第２足部材を有しており、
前記第１足部材及び第２足部材のそれぞれは、屈曲した中間部分によって結合している上側部分と下側部分を有する細長い略Z字状部材を有しており、
前記第１足部材及び第２足部材の前記第上側部分の長手方向軸はそれぞれ、対応する前記下側部分の長手方向軸よりも前記ボディ側にオフセットしており、
前記第１足部材の前記上側部分と下側部分は、同一面内に存在しており、
前記第２足部材の前記上側部分と下側部分は、同一面内に存在しており、
前記第１足部材は、第１回転軸と第１回転面とを定義する第１枢動機構によってボディに枢設しており、
前記第２足部材は、第２回転軸と第２回転面とを定義する第２枢動機構によってボディに枢設しており、
前記第１回転軸と第２回転軸は非平行であり、
前記自動伸張スタンドはさらに、アクチュエータロッドを有しており、
前記アクチュエータロッドは、前記ボディの底端に結合している下端と、前記第１足部材の中間部位に結合している第１上端と、前記第２足部材の中間部位に結合している第２上端とを有しており、
前記アクチュエータロッドは、前記ボディが垂直位置から傾斜位置に移動すると、前記第１足部材及び第２足部材を展開させるゴルフバッグ。
【請求項９】
前記第１足部材の上側部分は、前記第２足部材の上側部分から隔てられている請求項８に記載のゴルフバッグ。
【請求項１０】
前記第１足部材の上側部分の長手方向軸と第２足部材の上側部分の長手方向軸は、退避位置において平行であり、展開位置において非平行である請求項８又は９に記載のゴルフバッグ。
【請求項１１】
ゴルフバッグであって、
頂端と底端とを有するボディと、
そのボディに取り付けられている自動伸張スタンドと、
アクチュエータロッドと、を備えており、
前記自動伸張スタンドは、退避位置から展開位置に移動可能な第１足部材及び第２足部材を有しており、
前記第１足部材及び第２足部材はそれぞれ、上側部分と、中間部分と、下側部分とを有しており、
前記上側部分は、前記頂端近傍のボディに枢設している上端を有するとともに、第１長手方向軸を含んでおり、
前記下側部分は、第２長手方向軸を含んでおり、その第２長手方向軸は前記第１長手方向軸に平行であり、且つ前記第１長手方向軸に対して半径方向外側にオフセットされており、
前記中間部分は、前記上側部分と前記下側部分を堅固に結合しており、
前記アクチュエータロッドは、前記ボディが垂直位置から傾斜位置に移動すると、前記第１足部材及び前記第２足部材を退避位置から展開位置に移動させており、
前記アクチュエータロッドは、前記ボディの底端に結合している下端と、前記第１足部材の中間部位に結合している第１上端と、前記第２足部材の中間部位に結合している第２上端とを有しており、
前記第１足部材の上側部分と第２足部材の上側部分は、退避位置において平行であり、展開位置において非平行であるゴルフバッグ。
【請求項１２】
前記ボディは、略筒状である請求項１１に記載のゴルフバッグ。
【請求項１３】
前記第１足部材の下側部分と第２足部材の下側部分は、退避位置と展開位置において非平行である請求項１１又は１２に記載のゴルフバッグ。
【請求項１４】
前記アクチュエータロッドは、前記第１足部材及び第２足部材の上側部分に設けられているカラーに結合している請求項１１〜１３のいずれか一項に記載のゴルフバッグ。
【請求項１５】
前記第１足部材及び前記第２足部材はそれぞれ、略Z字状である請求項１１〜１４のいずれか一項に記載のゴルフバッグ。
【請求項１６】
前記ボディは、前記ボディの一方の側面に沿って前記頂端から前記底端にまで伸びている略剛体のスパインを有するとともに柔軟で繊維で形成されたスリーブと、前記略剛体のスパインとは反対側に部分的に折り畳み可能な側面と、を有している請求項１１〜１５のいずれか一項に記載のゴルフバッグ。
【請求項１７】
前記第１足部材及び第２足部材の上側部分は、前記ボディの前記頂端に設けられているリング状部材に枢設している請求項１１〜１６のいずれか一項に記載のゴルフバッグ。
【請求項１８】
前記第１足部材と前記第２足部材はそれぞれ、一体成形されたチューブ状部材を有している請求項１１〜１７のいずれか一項に記載のゴルフバッグ。
【請求項１９】
前記アクチュエータロッドは、Ｕ字状のロッド部材を有する請求項１１〜１８のいずれか一項に記載のゴルフバッグ。
【請求項２０】
前記ボディは、前記ボディの前記頂端に設けられているリング状部材を有するスロートを備えており、
前記スロートは、複数のゴルフクラブを所定のグループに分離する複数の分離部を有する請求項１１〜１９のいずれか一項に記載のゴルフバッグ。